(57)【要約】【課題】  コントラストが正しく表現され、画質が劣化することなく一層の低消費電力化を図ることができる液晶表示装置、バックライト制御方法及びバックライト制御プログラムを記録した記録媒体を提供する。【解決手段】  液晶表示装置１は、入力映像信号の輝度レベルを検出する輝度レベル検出手段１１と、入力映像信号のレベルを調整する映像レベル調整手段１２と、入力映像信号の輝度レベルに反比例した映像信号レベルになるように映像レベル調整手段１２の利得を制限する映像レベル利得制限手段１３と、輝度レベル検出手段１１の出力信号を、所定のバックライト輝度が得られるように変換するバックライトガンマ補正手段１８と、バックライトガンマ補正手段１８の出力に基づいてバックライトの光量を制御するバックライト光量制限手段１９及びバックライト駆動回路２０とを備える。【選択図】  図１
2005249891.tif 000002
【特許請求の範囲】
【請求項１】
バックライトを備える液晶表示装置であって、
バックライトの輝度レベルに関してガンマ補正する手段
を備えることを特徴とする液晶表示装置。
【請求項２】
バックライトを備える液晶表示装置であって、
入力映像信号の輝度レベルを検出する輝度レベル検出手段と、
前記輝度レベル検出手段の出力信号を、所定のバックライト輝度が得られるように変換するバックライトガンマ補正手段と、
前記バックライトガンマ補正手段の出力に基づいてバックライトの輝度を制御するバックライト制御手段と
を備えることを特徴とする液晶表示装置。
【請求項３】
前記バックライトガンマ補正手段は、バックライトに関して輝度レベルが直線的になるように補正することを特徴とする請求項２記載の液晶表示装置。
【請求項４】
さらに、入力映像信号のレベルを調整する映像レベル調整手段と、
入力映像信号の輝度レベルに反比例した映像信号レベルになるように前記映像レベル調整手段の利得を制限する映像レベル利得制限手段とを備えることを特徴とする請求項２記載の液晶表示装置。
【請求項５】
前記バックライト制御手段は、バックライトの光量を制限するバックライト光量制限手段を含むことを特徴とする請求項２記載の液晶表示装置。
【請求項６】
前記輝度レベル検出手段は、前記映像信号の最大値を検出することを特徴とする請求項２記載の液晶表示装置。
【請求項７】
前記輝度レベル検出手段は、前記映像信号の平均値を検出することを特徴とする請求項２記載の液晶表示装置。
【請求項８】
前記輝度レベル検出手段は、前記映像信号の最大値と平均値から輝度レベルを演算することを特徴とする請求項２、６又は７のいずれか一項に記載の液晶表示装置。
【請求項９】
バックライトを備える液晶表示装置のバックライト制御方法であって、
入力映像信号の輝度レベルを検出するステップと、
検出された輝度レベル出力信号を、所定のバックライト輝度が得られるようにガンマ補正するステップと、
前記ガンマ補正の出力に基づいてバックライトの輝度を制御するステップと
を有することを特徴とするバックライト制御方法。
【請求項１０】
さらに、入力映像信号のレベルを調整するステップと、
入力映像信号の輝度レベルに反比例した映像信号レベルになるように利得を制限するステップとを有することを特徴とする請求項９記載のバックライト制御方法。
【請求項１１】
バックライトを備える液晶表示装置のバックライト制御方法であって、入力映像信号の輝度レベルを検出するステップと、検出された輝度レベル出力信号を、所定のバックライト輝度が得られるようにガンマ補正するステップと、前記ガンマ補正の出力に基づいてバックライトの輝度を制御するステップとをコンピュータに実行させるためのプログラムを記録したことを特徴とするコンピュータ読み取り可能な記録媒体。
【発明の詳細な説明】
【技術分野】
【０００１】
本発明は、バックライトを備える液晶表示装置に関し、特に、消費電力を低減した液晶表示装置、バックライト制御方法及びバックライト制御プログラムを記録した記録媒体に関する。
【背景技術】
【０００２】
携帯型の機器にあっては、機器の消費電力を低減することで、バッテリでの使用時間が長時間化でき、または、バッテリを小型化できるので機器の小型軽量化に寄与する。液晶表示装置を備えた機器にあっては、全体の消費電力のなかで液晶のバックライトの消費電力が占める割合が大きく、この消費電力低減が強く求められている。
【０００３】
携帯型のテレビジョン受信機に代表される携帯型表示装置は、携帯使用時にはバッテリ駆動される。この種の携帯型表示装置では、バックライト部に消費される電力が最も大きく、バッテリ駆動時間はバックライトの点灯／非点灯やその輝度によって大きく異なる。一般に、バックライトの輝度が高ければ表示画面は見やすくなり、輝度が低くなると見にくくなる。また、周囲の明るさによっても最適な輝度は変わってくる。バックライトの使用はバッテリ駆動時間に大きく影響するため、バックライト輝度を制御してバッテリ駆動時間を伸ばすことが行われている。
【０００４】
バックライトの消費電力を低減する技術として、特許文献１が開示されている。特許文献１に記載の液晶表示装置は、入力される映像信号レベルの最大値に応じて、液晶に供給される映像信号のレベルを制御し、同時にバックライトの明るさを制御することで、低消費電力化を図ろうとするものである。
【０００５】
図５は、特許文献１記載の液晶表示装置の構成を示すブロック図である。
図５において、液晶表示装置は、入力部１０１から入力された映像信号を増幅する増幅器１０２、増幅された映像信号を処理する信号処理回路１０３、信号処理された映像信号をＡ／Ｄ変換に最適なレベルまで増幅する変換レベル調整増幅器１０４、変換レベル調整増幅器１０４を経て入力される映像信号をアナログ−ディジタル変換するＡ／Ｄ変換器１０５、ディジタル化された映像信号を基に液晶ディスプレイを駆動する駆動回路１０６、透過型の液晶ディスプレイ１１０、信号処理回路１０３からの輝度信号の最大レベルを検出して、輝度信号の最大レベルに反比例させて変換レベル調整増幅器１０４の利得を増幅させる制御信号と、輝度信号の最大レベルに比例させて光量を変化させる制御信号を送出する輝度レベル検出回路１０７と、輝度レベル検出回路１０７からの制御信号に応じてバックライト１０９の光量を制御する光量制御回路１０８と、液晶ディスプレイ１１０を背後から照明するバックライト１０９とから構成される。
【０００６】
【特許文献１】特開平１１−１０９３１７号公報
【発明の開示】
【発明が解決しようとする課題】
【０００７】
しかしながら、このような従来の液晶表示装置にあっては、システムのガンマ特性が考慮されておらず、このままでは正確なコントラスト再現が望めず、画質が劣化してしまうという欠点がある。この欠点について以下に説明する。
【０００８】
テレビジョンシステムにおいては、一般的に、表示装置のガンマ値を２．２と想定している。これは、以前は、表示装置としてブラウン管が主であったため、ブラウン管のガンマが採用されているのである。そして、ガンマ２．２の表示装置で表示されたときに正しいコントラスト再現が得られるよう、撮像装置側でガンマ２．２の逆補正、すなわちガンマ０．４５の補正をするよう規定されている。
【０００９】
図６は、テレビジョンシステムのガンマ補正を示す図である。
図６において、番号４１はブラウン管の入力電圧(x)対輝度(y)特性を表しており、次式（１）の関係を示す。
ｙ＝ｋ*ｘ^γ                                        …（１）
但し、ｋは比例定数、γ＝２．２
【００１０】
また、図６の番号４２は撮像装置の特性で、被写体輝度(x)対出力電圧(y)特性を表しており、次式（２）の関係を示す。
ｙ＝ｍ*ｘ^γ                                        …（２）
但し、ｍは比例定数、γ＝０．４５
上記式（２）に示すように、ブラウン管特性に対して逆補正される。
【００１１】
そして、撮像装置とブラウン管の総合特性としては、図６の番号４３に示すように直線になるので正しいコントラスト再現が得られる。
一般に扱われる映像信号は、このようにγ補正された装置出力の映像信号である。
【００１２】
最近一般的になってきた液晶表示装置では、液晶自体の入出力特性はブラウン管とは異なっており、その一例は図７で示される。
【００１３】
図７は、液晶表示装置のガンマ特性を示す図である。
この例では、電圧(V)対透過率(T)特性は、逆Ｓ字状になっている。ところが、上述のように映像信号はブラウン管のγ＝２．２を想定して作成されているので、このままでは正しいコントラスト再現が得られなくなる。したがって、液晶表示装置に合わせるためのガンマ補正回路が必要になる。この補正をどう行うかについては種々考えられるが、例えば、図５の従来例において、駆動回路１０６の部分にガンマ補正回路を設ける例を図８に示す。
【００１４】
図８は、従来の液晶表示装置のガンマ補正回路を持つ駆動回路の構成を示すブロック図である。
図８において、駆動回路１０６は、入力端子３０、液晶ディスプレイのγに合わせるためのガンマ補正回路３１、液晶駆動用の信号処理回路３２、及び駆動用のタイミングパルス発生回路３３を備えて構成される。ガンマ補正回路３１の動作により、入力端子３０から見た特性はブラウン管の特性に合うように補正される。すなわち、γ＝２．２になっている。このようにして、前記図５の従来例において、駆動回路１０６以降のガンマ特性は２．２になっているものとする。
【００１５】
図９は、従来の表示装置（図５）において、被写体輝度が変わったときに液晶ディスプレイにどのように再現されるかをシミュレーションした結果を示す図である。図９のＡは、バックライト制御、信号レベル制御を行わないときの各シミュレーション結果を、図９のＢは、バックライト制御、信号レベル制御を行ったときの各シミュレーション結果を示している。図９の番号７０に示すように、液晶ディスプレイ輝度Ｌは、液晶表示透過率Ｔとバックライト輝度ｂを掛け合わせた（Ｌ＝Ｔ＊ｂ）ものである。
【００１６】
図９のＢに示すように、変換レベル調整増幅器１０４の利得はピーク輝度に比例し、バックライト輝度ｂはピーク輝度に反比例させるものとしている。図９のＡでは、被写体輝度０〜１００％のとき液晶ディスプレイ最大輝度１００％、また、被写体輝度０〜２０％のとき液晶ディスプレイ最大輝度２０％となっており、被写体輝度に合った輝度再現が得られている。しかし、図９のＢでは、被写体輝度０〜１００％のとき液晶ディスプレイ最大輝度１００％になっているが、被写体輝度が０〜２０％でのピーク輝度が液晶では４８％になっており、明るく再現されてしまっている。被写体輝度０〜５％のときも同様に明るく再現されてしまっている。このように、図５に示した従来例の方法では、テレビジョンシステムのγ特性を考慮すると、輝度が正確に表示できないのである。
【００１７】
また、消費電力について見てみると、図９のＡの場合バックライト輝度はいつも１００％で最大であるが、図９のＢでは、被写体輝度が０〜２０％時はバックライトの明るさは、４８％、被写体輝度０〜５％ではバックライト輝度は２１％になっており、バックライトの消費電力はバックライト輝度にほぼ比例するので、低消費電力化の効果は現れているといえる。但し、上記のように再現される輝度は明るくなりすぎているので、バックライトをもっと暗くし、さらに低消費電力化できる可能性を示唆している。
【００１８】
また従来装置の欠点としては、輝度信号に比例して増幅器の利得を大きくしていたので、画像内容によっては利得を上げすぎてＳ／Ｎが悪くなる問題もあった。例えば、図９のＢで被写体輝度０〜５％では、変換レベル調整増幅器６の利得は４．８倍になっており、利得増大による画質劣化が出てくる。さらに、利得を上げた場合は、ガンマ補正値がずれてしまい、画質が悪くなってしまうという問題も懸念される。
【００１９】
本発明は、このような課題に鑑みてなされたものであって、コントラストが正しく表現され、画質が劣化することなく一層の低消費電力化を図ることができる液晶表示装置、バックライト制御方法及びバックライト制御プログラムを記録した記録媒体を提供することを目的とする。
【課題を解決するための手段】
【００２０】
本発明の液晶表示装置は、バックライトを備える液晶表示装置であって、バックライトの輝度レベルに関してガンマ補正する手段を備えることを特徴としている。
【００２１】
本発明の液晶表示装置は、バックライトを備える液晶表示装置であって、入力映像信号の輝度レベルを検出する輝度レベル検出手段と、前記輝度レベル検出手段の出力信号を、所定のバックライト輝度が得られるように変換するバックライトガンマ補正手段と、前記バックライトガンマ補正手段の出力に基づいてバックライトの輝度を制御するバックライト制御手段とを備えることを特徴としている。これにより、利得を上げすぎることがなく、良好な画質が保たれる。
【００２２】
前記バックライトガンマ補正手段は、入力画像の輝度信号レベルが正しく表現されるように、バックライトに関して輝度レベルが直線的になるように補正することがより好ましい。
【００２３】
さらに、より好ましい具体的な形態として、入力映像信号のレベルを調整する映像レベル調整手段と、入力映像信号の輝度レベルに反比例した映像信号レベルになるように前記映像レベル調整手段の利得を制限する映像レベル利得制限手段とを備える。
【００２４】
より好ましい具体的な形態として、前記バックライト制御手段は、バックライトの光量を制限するバックライト光量制限手段を含むものである。
【００２５】
前記輝度レベル検出手段は、前記映像信号の最大値を検出するものであってもよく、また前記輝度レベル検出手段は、前記映像信号の平均値を検出するものであってもよい。さらに、前記輝度レベル検出手段は、前記映像信号の最大値と平均値から輝度レベルを演算するものであってもよい。これにより、一層の低消費電力化を図ることが可能になり、コントラストが正しく表現され画質が劣化しない。
【００２６】
本発明のバックライト制御方法は、バックライトを備える液晶表示装置のバックライト制御方法であって、入力映像信号の輝度レベルを検出するステップと、検出された輝度レベル出力信号を、所定のバックライト輝度が得られるようにガンマ補正するステップと、前記ガンマ補正の出力に基づいてバックライトの輝度を制御するステップとを有することを特徴としている。
【００２７】
さらに、入力映像信号のレベルを調整するステップと、入力映像信号の輝度レベルに反比例した映像信号レベルになるように利得を制限するステップとを有することがより好ましい。
【００２８】
別の観点から、本発明は、バックライトを備える液晶表示装置のバックライト制御方法であって、入力映像信号の輝度レベルを検出するステップと、検出された輝度レベル出力信号を、所定のバックライト輝度が得られるようにガンマ補正するステップと、前記ガンマ補正の出力に基づいてバックライトの輝度を制御するステップとをコンピュータに実行させるためのプログラムを記録したことを特徴とするコンピュータ読み取り可能な記録媒体である。
【発明の効果】
【００２９】
以上、詳述したように、本発明によれば、コントラストが正しく表現され、画質が劣化することなく、より一層の低消費電力化を図ることができる。
【発明を実施するための最良の形態】
【００３０】
以下、添付図面を参照しながら本発明の好適な液晶表示装置及びバックライト制御方法の実施の形態について詳細に説明する。
【００３１】
図１は、本発明の実施の形態の液晶表示装置の構成を示すブロック図である。本実施の形態に係る液晶表示装置は、デジタルテレビジョン受信機の表示装置に適用することができる。
【００３２】
図１において、液晶表示装置１は、映像信号を入力する入力部１０と、入力映像信号の輝度信号レベルを検出する輝度レベル検出手段１１と、映像信号のレベルを調整する映像レベル調整手段１２と、映像信号の利得を制限する映像レベル利得制限手段１３と、映像レベル調整手段１２に設定された利得に従って所定のガンマ補正を行う映像信号ガンマ補正手段１４と、映像輝度レベル検出手段１１の出力を基に映像信号ガンマ補正手段１４を制御するガンマ制御手段１５と、液晶ディスプレイを駆動するための信号処理及び駆動パルスを発生する液晶駆動回路１６と、液晶ディスプレイ１７と、輝度レベル検出手段１１の出力信号を、所定のバックライト輝度が得られるように変換するバックライトガンマ補正手段１８と、バックライトの光量を所定の範囲に制限するバックライト光量制限手段１９と、入力信号に従ってバックライト２１を点灯駆動するバックライト駆動回路２０と、バックライト２１とを備えて構成される。
【００３３】
上記バックライト光量制限手段１９及びバックライト駆動回路２０は、バックライトガンマ補正手段１８の出力に基づいてバックライトの輝度を制御するバックライト制御手段を構成する。
【００３４】
輝度レベル検出手段１１は、入力映像信号の輝度信号レベルを検出する。例えば、輝度信号レベルの検出は、輝度信号の最大値を検出する。
【００３５】
映像レベル調整手段１２は、映像レベル利得制限手段１３で制御されて、映像信号のレベルを調整する。
【００３６】
映像レベル利得制限手段１３は、輝度レベル検出手段１１の出力を、映像レベル調整手段１２を制御する信号に変換して映像レベル調整手段１２を制御する。ここでは、映像レベル利得制限手段１３は、入力映像信号の輝度レベルに反比例した映像信号レベルになるように映像レベル調整手段１２の利得を制限する。これについて図２を参照して説明する。
【００３７】
図２は、上記映像レベル利得制限手段１３の入出力特性を示す図であり、図７の入力は入力信号の最大値、出力は映像レベル調整手段１２の利得である。番号７１が特性を示している。図２に示すように、中間領域では入力に反比例しており、入力が小さくなると所定の出力Ｇmaxに制限され、また入力が大きくなると所定の出力Ｇminに制限されるようになっている。利得をＧmaxに制限するのは、利得を上げすぎると映像のＳ／Ｎが悪化し画質劣化を招くこと、また利得をある程度以上上げても低消費電力化の効果が少なくなること、の理由により制限する。また、Ｇminに制限するのは、バックライトの輝度は１００％以上には上がらないので、これに合わせて利得を制限する。この例ではＧmax＝４．０、Ｇmin＝１．０としている。
【００３８】
図１の説明に戻って、映像信号ガンマ補正手段１４は、ガンマ制御手段１５により制御され、映像レベル調整手段１２に設定された利得に従って所定のガンマ補正が行われる。
【００３９】
ガンマ制御手段１５は、映像輝度レベル検出手段１１の出力を映像信号ガンマ補正手段１４を制御する信号に変換して映像信号ガンマ補正手段１４を制御する。
【００４０】
ここで、映像信号ガンマ補正手段１４が必要になる理由について説明する。
一般に、ガンマ補正回路は、例えば図６の番号４２のような特性を得る回路であるが、この特性を正確に実現するのは困難であり通常近似特性が用いられる。特に入力が０の近傍では、利得が非常に高い状態になり、実現が困難であるし、実現できたとしてもノイズが多くなって使用に耐えない状態となってしまう。このため、直線近似等を行って、ゲインを制限することが行われる。このように近似的に補正された信号を、映像レベル調整手段１２でレベル調整した場合を考えると、調整する利得によって理論的ガンマ特性からの誤差が増えてしまう。特に利得を高くした場合にこの影響が大きくなる。したがって、この誤差を減らすために映像信号ガンマ補正手段１４が必要となる。
【００４１】
さらに、積極的な使い方として、映像レベル調整手段１２の利得を上げる場合がある。利得を上げる例としては、映像の最大値が小さい場合、言い換えると画面が暗い場合であり、この場合積極的にガンマ補正を多くかけて、見やすい画像にすることが可能である。
【００４２】
液晶駆動回路１６は、液晶ディスプレイを駆動するための信号処理、及び駆動パルスを発生する。ここで液晶駆動回路１６は、図５の従来例における駆動回路１０６で説明したように液晶のガンマを、ブラウン管のガンマに合わせるガンマ補正回路を含んでいるものとする。
【００４３】
バックライトガンマ補正手段１８は、輝度レベル検出手段１１で検出された輝度値を所定の制御電圧に変換する。
【００４４】
図３は、上記バックライトガンマ補正手段１８の入出力特性を示す図である。図３の番号８１に示すように、バックライトガンマ補正手段１８の入出力特性は、ガンマ２．２に設定する。ここで、もしシステムのガンマが２．２以外であればそれに合わせた設定をすれば良い。
【００４５】
バックライト光量制限手段１９は、バックライトの光量を所定の範囲に制限するため、図３の番号８２に示すように制限値  Ｃmax、Ｃminを設ける。これは映像レベル利得制限手段に合わせて設定する。この例では、Ｇmax＝４．０、Ｇmin＝１．０に合わせて、Ｃmax＝1００％、Ｃmin＝４．６％としている。
【００４６】
図４は、本液晶表示装置１において、被写体輝度が変わったときに液晶ディスプレイにどのように再現されるかをシミュレーションした結果を示す図である。図４は、前記図９と同様の条件により確認したものである。図４の番号１０１に示すように、液晶ディスプレイ輝度Ｌは、液晶表示透過率Ｔとバックライト輝度ｂを掛け合わせて（Ｌ＝Ｔ＊ｂ）表現されるが、前記図９と異なるのは、図４のバックライト輝度ｂは、ガンマ補正によるバックライト光量制限手段１９出力Ｃ（＝ｘ^γ2）によってバックライト輝度が制限（ｂ∝Ｃ）されていることにある。
【００４７】
図４のＢの場合、図９のＢと対比して明らかなように、被写体輝度が０〜２０％のときは、バックライト輝度は２０％まで下げることができ、また写体輝度が０〜３％のときは、バックライト輝度は４．６％まで下げることができ、低消費電力化の効果が従来比一層効果があることがわかる。また被写体のコントラストが正しく表示されている。また、写体輝度が０〜３％のときをみればわかるように、利得は４．０に制限されており、被写体輝度が暗い場合でも利得が上がりすぎることがない。従ってＳ／Ｎが劣化しない。
【００４８】
以上の説明では、輝度レベル検出手段１１としては輝度信号の最大値を検出するものとして説明したが、これにより入力信号の最大値が正しく表現される。しかしながら、表示のダイナミックレンジを考慮すると、必ずしも最大輝度を表現した方がよい場合ばかりでなく、輝度信号が集中している平均値を重点に表示したほうが良いこともある。この場合、輝度レベル検出としては平均値を用いたり、また、平均値と最大値とから演算した値を使うようにすれば、より良好な画質を得ることができる。
【００４９】
以上のように、本実施の形態の液晶表示装置１は、入力映像信号の輝度レベルを検出する輝度レベル検出手段１１と、入力映像信号のレベルを調整する映像レベル調整手段１２と、入力映像信号の輝度レベルに反比例した映像信号レベルになるように映像レベル調整手段１２の利得を制限する映像レベル利得制限手段１３と、輝度レベル検出手段１１の出力信号を、所定のバックライト輝度が得られるように変換するバックライトガンマ補正手段１８と、バックライトガンマ補正手段１８の出力に基づいてバックライトの光量を制御するバックライト光量制限手段１９及びバックライト駆動回路２０とを備えて構成し、バックライト制御方法は、入力映像信号の輝度レベルを検出し、検出された輝度レベル出力信号を、所定のバックライト輝度が得られるようにガンマ補正し、前ンマ補正の出力に基づいてバックライトの輝度を制御するので、バックライト輝度を適正に下げることができ、低消費電力化を図ることができるとともに、被写体のコントラストを正しく表現することができる。さらに、被写体輝度が適正となるため画質の劣化を防ぐことができる。
【００５０】
なお、本発明の液晶表示装置及びバックライト制御方法は、上述の実施の形態に限定されるものではなく、本発明の要旨を逸脱しない範囲内において種々変更を加え得ることは勿論である。例えば、上述したようなテレビジョン受信機に適用することもできるが、これには限定されず、全ての液晶表示装置及びバックライト制御方法に適用可能である。さらに、パソコンに代表される情報機器機能に融合された装置であってもよい。
【００５１】
また、上記実施の形態では液晶表示装置及びバックライト制御方法という名称を用いたが、これは説明の便宜上であり、バックライト制御装置、携帯型視聴機器、表示制御方法等であってもよいことは勿論である。
【００５２】
また、上記実施の形態は、ディスプレイ背面に複数個の蛍光灯などからなる多灯式バックライトを使用した例が一般的であるが、反射型液晶ディスプレイを用いた場合のフロントライトにも同様に適用できることは言うまでもない。さらには、有機ＥＬ（electroluminescence）など自己発光型のディスプレイにおいてもユーザにとって見やすい輝度調整、省エネの観点から適用して好適である。
【００５３】
以上説明した液晶表示装置及びバックライト制御方法は、この液晶表示装置及びバックライト制御方法を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００５４】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００５５】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【００５６】
【図１】本発明の実施の形態の液晶表示装置の構成を示すブロック図である。
【図２】本実施の形態の液晶表示装置の映像レベル利得制限手段の入出力特性を示す図である。
【図３】本実施の形態の液晶表示装置のバックライトガンマ補正手段の入出力特性を示す図である。
【図４】本実施の形態の液晶表示装置の被写体輝度が変わったときに液晶ディスプレイにどのように再現されるかをシミュレーションした結果を示す図である。
【図５】従来の液晶表示装置の構成を示すブロック図である。
【図６】テレビジョンシステムのガンマ補正を示す図である。
【図７】液晶表示装置のガンマ特性を示す図である。
【図８】従来の液晶表示装置のガンマ補正回路を持つ駆動回路の構成を示すブロック図である。
【図９】従来の表示装置の被写体輝度が変わったときに液晶ディスプレイにどのように再現されるかをシミュレーションした結果を示す図である。
【符号の説明】
【００５７】
１  液晶表示装置
１０  入力部
１１  輝度レベル検出手段
１２  映像レベル調整手段
１３  映像レベル利得制限手段
１４  映像信号ガンマ補正手段
１５  ガンマ制御手段
１６  液晶駆動回路
１７  液晶ディスプレイ
１８  バックライトガンマ補正手段
１９  バックライト光量制限手段（バックライト制御手段）
２０  バックライト駆動回路（バックライト制御手段）
２１  バックライト
【図１】
2005249891.tif 000003
【図２】
2005249891.tif 000004
【図３】
2005249891.tif 000005
【図４】
2005249891.tif 000006
【図５】
2005249891.tif 000007
【図６】
2005249891.tif 000008
【図７】
2005249891.tif 000009
【図８】
2005249891.tif 000010
【図９】
2005249891.tif 000011